(57)【要約】【課題】記憶媒体に記憶された情報を確実に読取装置で読み取らせることを可能とした電子機器を提供する。【解決手段】本体部２と、液晶ディスプレイ３を備えるとともに本体部２に対して移動可能に支持されたディスプレイ部４とから基本的に構成され、また、本体部２に形成されたカード挿入口１６の前面には、カード挿入口１６を開閉する開閉蓋２１が設けられている。そして、メモリーカード１０がカード挿入口１６に挿入されているにもかかわらず読取位置まで挿入されていない場合には、開閉蓋２１がカード挿入口１６から離間した離間位置に支持され、ディスプレイ部４の移動を妨げるように構成する。【選択図】図１３
2011165289.tif 000002
【特許請求の範囲】
【請求項１】
記憶媒体に記録された情報を読み取る読取装置を備えた本体部と、
前記本体部の前面に形成された前記記憶媒体の挿入口と、
前記本体部の前面において前記挿入口を被覆する閉鎖位置と前記挿入口を露出する開放位置との間で移動可能に支持されるとともに、前記読取装置で読み取られた情報に基づく画像を表示するディスプレイを備えたディスプレイ部と、
前記挿入口に設けられ、前記挿入口を被覆することによって前記挿入口を閉鎖するとともに、前記挿入口から離間することによって前記挿入口を開放する開閉蓋と、を有し、
前記読取装置は、前記挿入口から挿入された前記記憶媒体が読取位置まで挿入された場合に、前記読取装置に記憶された情報を読み取り、
前記開閉蓋は、前記記憶媒体が前記挿入口に挿入され、且つ前記読取位置まで挿入されていない状態では前記挿入口から離間した離間位置に支持され、
前記開閉蓋が離間位置にある状態で、前記ディスプレイ部を前記開放位置から前記閉鎖位置へと移動させた場合には、前記ディスプレイ部と前記開閉蓋が接触し、前記ディスプレイ部の移動を妨げることを特徴とする電子機器。
【請求項２】
前記開閉蓋は、
回転軸を中心に前記本体部に対して回動可能に支持された板部材を備え、
前記板部材が前記挿入口を被覆することによって前記挿入口を閉鎖するとともに、前記挿入口から離間することによって前記挿入口を開放し、
前記ディスプレイ部を前記開放位置から前記閉鎖位置へと移動させた場合における前記ディスプレイ部の移動軌跡が前記離間位置にある前記板部材と重なることを特徴とする請求項１に記載の電子機器。
【請求項３】
前記板部材は、前記記憶媒体が前記挿入口に挿入され、且つ前記読取位置まで挿入されていない状態では、前記挿入口側に押圧された場合であっても、前記離間位置に位置することを特徴とする請求項２に記載の電子機器。
【請求項４】
前記開閉蓋の前記回転軸の軸方向は、前記ディスプレイ部の移動方向と略一致することを特徴とする請求項２又は請求項３に記載の電子機器。
【請求項５】
前記記憶媒体には地図情報が記憶され、
前記ディスプレイは、前記記憶媒体に記憶された前記地図情報に基づく地図画像が表示されることを特徴とする請求項１乃至請求項４のいずれかに記載の電子機器。
【発明の詳細な説明】
【技術分野】
【０００１】
本発明は、記憶媒体に記憶された情報を読み取る読取装置と、本体部に対して移動可能に支持されたディスプレイ部とを備えた電子機器に関する。
【背景技術】
【０００２】
近年、車両の走行案内を行い、運転者が所望の目的地に容易に到着できるようにしたナビゲーション装置が車両に搭載されていることが多い。ここで、ナビゲーション装置とは、ＧＰＳ受信機などにより車両の現在位置を検出し、その現在位置に対応する地図情報をＤＶＤ−ＲＯＭやＨＤＤなどの記録媒体を通じて取得して液晶モニタに表示することが可能な装置である。そして、車両の現在位置を含む地図情報を記録媒体等から読み出し、地図情報に基づいて車両の現在位置の周囲における地図画像を描画して表示装置に表示するとともに、車両位置マークを地図画像に重ね合わせて表示し、車両の移動に応じて地図画像をスクロールしたり、地図画像を画面に固定し車両位置マークを移動させることによって、車両が現在どの地点を走行しているのかを一目でわかるようにしている。また、近年は携帯電話機、ＰＤＡ（Personal Digital Assistant）、パーソナルコンピュータ等においても上記ナビゲーション装置と同様の機能を有するものがある。
【０００３】
また、上記ナビゲーション装置等以外にも、記憶媒体に記憶された情報を読み取る読取装置と読取装置で読み取ったデータに基づく画像や文字などを表示するディスプレイとをそれぞれ備える電子機器が存在する。例えば、ＤＶＤプレイヤや音楽プレイヤ等である。
【０００４】
また、情報を記憶する記憶媒体としては、従来よりＤＶＤ−ＲＯＭやＨＤＤ等が用いられていたが、装置の小型化の為にメモリーカード（例えば、ＵＳＢフラッシュメモリ、マルチメディアカード、ＳＤメモリーカード、ｍｉｎｉＳＤカード、ｍｉｃｒｏＳＤカード）等の小型の記憶媒体が用いられることも多くなっていた。更に、上記した読取装置とディスプレイとを備えた電子機器の中には、機器の小型化及びディスプレイの大型化を実現する為、ディスプレイを本体部に対して移動可能に支持し、記憶媒体の読取装置をディスプレイの裏側に対して配置するものがあった（例えば、特開２００５−９２９８７号公報参照）。
【先行技術文献】
【特許文献】
【０００５】
【特許文献１】特開２００５−９２９８７号公報（第３頁〜第４頁、図４）
【発明の概要】
【発明が解決しようとする課題】
【０００６】
ここで、電子機器が備える読取装置は、挿入口に対して挿入された記憶媒体に記憶された情報を読み取る方式が広く用いられているが、読取装置により記憶媒体に記憶された情報を読み取り可能な位置（以下、読取位置という）へと記憶媒体を位置させる為には、記憶媒体を挿入口に対して読取位置まで挿入する必要がある。従って、記憶媒体の挿入口に対する挿入が十分でないと、記憶媒体が挿入口に対して挿入されているにもかかわらず、読取装置により記憶媒体に記憶された情報を読み取ることができない。そして、上記特許文献１のように記憶媒体の読取装置をディスプレイの裏側に対して配置した電子機器では、挿入口がディスプレイによって隠れた状態となるので、ユーザは記憶媒体が読取位置まで挿入されているか否かの識別が困難である。その結果、記憶媒体に記憶された情報を確実に読取装置で読み取らせることができない問題があった。特に、近年では上記した小型の記憶媒体が用いられることが多くなっており、ユーザは記憶媒体が読取位置まで挿入されているか否かの識別がより困難となっていた。
【０００７】
本発明は前記従来における問題点を解消するためになされたものであり、記憶媒体が挿入口に挿入されているにもかかわらず読取位置まで挿入されていない場合には、開閉蓋によってディスプレイ部の移動を妨げ、記憶媒体が読取位置まで挿入されているか否かの識別を容易に行わせることを可能とし、記憶媒体に記憶された情報を確実に読取装置で読み取らせることを可能とした電子機器を提供することを目的とする。
【課題を解決するための手段】
【０００８】
前記目的を達成するため本願の請求項１に係る電子機器（１）は、記憶媒体（１０）に記録された情報を読み取る読取装置（１１）を備えた本体部（２）と、前記本体部の前面に形成された前記記憶媒体の挿入口（１６）と、前記本体部の前面において前記挿入口を被覆する閉鎖位置と前記挿入口を露出する開放位置との間で移動可能に支持されるとともに、前記読取装置で読み取られた情報に基づく画像を表示するディスプレイ（３）を備えたディスプレイ部（４）と、前記挿入口に設けられ、前記挿入口を被覆することによって前記挿入口を閉鎖するとともに、前記挿入口から離間することによって前記挿入口を開放する開閉蓋（２１）と、を有し、前記読取装置は、前記挿入口から挿入された前記記憶媒体が読取位置まで挿入された場合に、前記読取装置に記憶された情報を読み取り、前記開閉蓋は、前記記憶媒体が前記挿入口に挿入され、且つ前記読取位置まで挿入されていない状態では前記挿入口から離間した離間位置に支持され、前記開閉蓋が離間位置にある状態で、前記ディスプレイ部を前記開放位置から前記閉鎖位置へと移動させた場合には、前記ディスプレイ部と前記開閉蓋が接触し、前記ディスプレイ部の移動を妨げることを特徴とする。
【０００９】
また、請求項２に係る電子機器（１）は、請求項１に記載の電子機器において、前記開閉蓋（２１）は、回転軸（２２）を中心に前記本体部に対して回動可能に支持された板部材（２３）を備え、前記板部材が前記挿入口（１６）を被覆することによって前記挿入口を閉鎖するとともに、前記挿入口から離間することによって前記挿入口を開放し、前記ディスプレイ部を前記開放位置から前記閉鎖位置へと移動させた場合における前記ディスプレイ部の移動軌跡が前記離間位置にある前記板部材と重なることを特徴とする。
【００１０】
また、請求項３に係る電子機器（１）は、請求項２に記載の電子機器において、前記板部材（２３）は、前記記憶媒体（１０）が前記挿入口（１６）に挿入され、且つ前記読取位置まで挿入されていない状態では、前記挿入口側に押圧された場合であっても、前記離間位置に位置することを特徴とする。
【００１１】
また、請求項４に係る電子機器（１）は、請求項２又は請求項３に記載の電子機器において、前記開閉蓋（２１）の前記回転軸（２２）の軸方向は、前記ディスプレイ部（４）の移動方向と略一致することを特徴とする。
【００１２】
更に、請求項５に係る電子機器（１）は、請求項１乃至請求項４のいずれかに記載の電子機器において、前記記憶媒体（１０）には地図情報が記憶され、前記ディスプレイ（３）は、前記記憶媒体に記憶された前記地図情報に基づく地図画像が表示されることを特徴とする。
【発明の効果】
【００１３】
前記構成を有する請求項１に係る電子機器では、記憶媒体が挿入口に挿入されているにもかかわらず読取位置まで挿入されていない場合には、開閉蓋が挿入口から離間した離間位置に支持され、その結果、開閉蓋によってディスプレイ部の移動が妨げられる。従って、記憶媒体が読取位置まで挿入されているか否かの識別を容易に行わせることを可能とし、記憶媒体に記憶された情報を確実に読取装置で読み取らせることが可能となる。
【００１４】
また、請求項２に係る電子機器では、ディスプレイ部を開放位置から閉鎖位置へと移動させた場合におけるディスプレイ部の移動軌跡が離間位置にある開閉蓋の板部材と重なるので、離間位置にある開閉蓋とディスプレイ部とを確実に接触させることが可能となり、ディスプレイ部の移動を停止させることが可能となる。
【００１５】
また、請求項３に係る電子機器では、記憶媒体が挿入口に挿入されているにもかかわらず読取位置まで挿入されていない状態では、開閉蓋が挿入口側に押圧された場合であっても離間位置に位置するので、記憶媒体が読取位置まで挿入されていない状況において、確実に開閉蓋とディスプレイ部とを接触させることが可能となり、ディスプレイ部の移動を停止させることが可能となる。
【００１６】
また、請求項４に係る電子機器では、開閉蓋の回転軸の軸方向は、ディスプレイ部の移動方向と略一致するので、開閉蓋とディスプレイ部が接触した場合であっても、開閉蓋の回転軸に加わる負荷が小さくなるので、開閉蓋の破損を防止することが可能となる。
【００１７】
更に、請求項５に係る電子機器では、特に地図情報を記憶した記憶媒体を読取装置で読み取る場合において、記憶媒体が読取位置まで挿入されているか否かの識別を容易に行わせることが可能となる。従って、記憶媒体に記憶された地図情報に基づく画像をディスプレイに対して確実に表示することが可能となる。
【図面の簡単な説明】
【００１８】
【図１】ディスプレイ部が閉鎖位置にある場合の本実施形態に係るナビゲーション装置の斜視図である。
【図２】ディスプレイ部が開放位置にある場合の本実施形態に係るナビゲーション装置の斜視図である。
【図３】ディスプレイ部が開放位置にある場合の本実施形態に係るナビゲーション装置の正面図である。
【図４】読取装置の構成について説明した図である。
【図５】被覆位置にある開閉蓋の正面図である。
【図６】被覆位置にある開閉蓋の上面図である。
【図７】離間位置にある開閉蓋の正面図である。
【図８】離間位置にある開閉蓋の上面図である。
【図９】メモリーカードが非読取位置にある場合の開閉蓋を示した上面図である。
【図１０】ディスプレイ部が閉鎖位置にある場合の本実施形態に係るナビゲーション装置の側面図である。
【図１１】ディスプレイ部が開放位置にある場合の本実施形態に係るナビゲーション装置の側面図である。
【図１２】開閉蓋とディスプレイ部が接触した状態におけるナビゲーション装置を示した斜視図である。
【図１３】開閉蓋とディスプレイ部が接触した状態におけるナビゲーション装置を示した側面図である。
【発明を実施するための形態】
【００１９】
以下、本発明に係る電子機器についてナビゲーション装置１に具体化した一実施形態に基づき図面を参照しつつ詳細に説明する。
先ず、本実施形態に係るナビゲーション装置１の概略構成について図１〜図３を用いて説明する。図１はディスプレイ部が閉鎖位置にある場合の本実施形態に係るナビゲーション装置１の斜視図、図２はディスプレイ部が開放位置にある場合の本実施形態に係るナビゲーション装置１の斜視図、図３はディスプレイ部が開放位置にある場合の本実施形態に係るナビゲーション装置１の正面図である。
【００２０】
図１〜図３に示すように、本実施形態に係るナビゲーション装置１は、本体部２と、液晶ディスプレイ３を備えるとともに本体部２に対して移動可能に支持されたディスプレイ部４とから基本的に構成される。
【００２１】
先ず、本体部２について以下に説明する。
本体部２は、略直方体形状を有し、記憶媒体の内、特にメモリーカード１０（例えば、ＵＳＢフラッシュメモリ、マルチメディアカード、ＳＤメモリーカード、ｍｉｎｉＳＤカード、ｍｉｃｒｏＳＤカード、メモリースティック、スマートメディア等）に記録された地図情報を読み取る読取装置１１と、ＤＶＤやＣＤ等の光ディスクに記録された情報を読み取るＤＶＤドライブ１２と、ナビゲーション装置１の全体の制御を行うＣＰＵ、ＲＡＭ、ＲＯＭ等が搭載されるとともに液晶ディスプレイ３に画像データを出力する為の画像データ出力回路を含む制御基板１３と、をそれぞれ内部に備える。
【００２２】
読取装置１１は、メモリーカード１０と接触する接触端子１５（図４参照）や回路基板（図示せず）等から構成される。また、読取装置１１によって情報が読み取られるメモリーカード１０には、ナビゲーション装置１における地図画像の表示や経路探索に用いられる地図情報が記憶される。地図情報としては、例えば、道路（リンク）に関するリンクデータ、ノード点に関するノードデータ、地図を表示するための地図表示データ、各交差点に関する交差点データ、経路を探索するための探索データ、施設に関する施設データ、地点を検索するための検索データ等が記憶される。
【００２３】
また、本体部２の前面において読取装置１１に対応する位置には、メモリーカード１０を挿入する為のカード挿入口１６が形成されている。ここで、読取装置１１はカード挿入口１６に挿入されたメモリーカード１０に記憶された情報を読み取る構成となっているが、読取装置１１によりメモリーカード１０に記憶された情報を読み取る為には読取位置までメモリーカード１０を挿入する必要がある。
【００２４】
ここで、図４を用いてメモリーカード１０の上記読取位置について説明する。図４に示すようにメモリーカード１０を本体部２に内蔵された読取装置１１に読み取らせる為には、本体部２の前面位置Ｘよりメモリーカード１０の端部Ｙが奥側（図４左側）となる位置までメモリーカード１０を挿入する必要がある。その結果、メモリーカード１０がカード挿入口１６内において読取位置に支持され、メモリーカード１０の端子部分が読取装置１１の接触端子１５に接触し、接触端子を介して読取装置１１によりメモリーカード１０に記録された情報の読み取りが可能となる。一方、メモリーカード１０をカード挿入口１６に挿入したとしても、本体部２の前面位置Ｘよりメモリーカード１０の端部Ｙが手前側（図４右側）となる位置までしかメモリーカード１０を挿入しなかった場合には、メモリーカード１０は読取位置まで挿入されず、読取位置よりもメモリーカード１０の端部Ｙが手前側（図４右側）に位置した状態（非読取位置）でメモリーカード１０がカード挿入口１６内に支持される。その結果、メモリーカード１０の端子部分が読取装置１１の接触端子１５に接触せず、読取装置１１によりメモリーカード１０に記録された情報を読み取ることができなくなる。
【００２５】
また、カード挿入口１６の前面には、カード挿入口１６を開閉する開閉蓋２１が設けられている。ここで、図５は被覆位置にある開閉蓋２１の正面図、図６は被覆位置にある開閉蓋２１の上面図、図７は離間位置にある開閉蓋２１の正面図、図８は離間位置にある開閉蓋２１の上面図である。
図５〜図８に示すように開閉蓋２１は、本体部２の前面におけるカード挿入口１６の左側方に設けられた回転軸２２と、回転軸２２を中心に本体部２に対して回動可能に支持された板部材２３とから構成される。
【００２６】
そして、図５及び図６に示すように板部材２３がカード挿入口１６を被覆する被覆位置にある場合には、開閉蓋２１によってカード挿入口１６が閉鎖された状態となる。その結果、ユーザはカード挿入口１６に挿入されたメモリーカード１０の取り出しができなくなる。
一方、図７及び図８に示すように板部材２３がカード挿入口１６から離間した離間位置にある場合には、カード挿入口１６が開放された状態となる。その結果、ユーザはカード挿入口１６に挿入されたメモリーカード１０の取り出しが可能となる。
尚、開閉蓋２１は、ねじりコイルばねでカード挿入口１６側へ付勢する構成としても良い。
【００２７】
また、メモリーカード１０がカード挿入口１６に挿入され、且つ読取位置まで挿入されていない状態（非読取位置）では、図４に示すようにメモリーカード１０は、端部Ｙが本体部２の前面位置Ｘよりも大きく手前側（図４右側）に位置した状態でカード挿入口１６内に支持される。その結果、図９に示すように板部材２３は、カード挿入口１６側に押圧された場合であっても、メモリーカード１０の角と板部材２３の内側面が接触し、カード挿入口１６を閉鎖することができず、カード挿入口１６から離間した離間位置に支持される。また、本実施形態に係るナビゲーション装置１では、後述のようにディスプレイ部４を開放位置から閉鎖位置へと移動させた場合におけるディスプレイ部４の移動軌跡が離間位置にある板部材２３と重なるように構成されている。更に、開閉蓋２１の回転軸の軸方向（図９のＥ方向）は、ディスプレイ部４の移動方向（図９のＦ方向）と略一致するように設定されている。
【００２８】
また、ＤＶＤドライブ１２は、光ディスクに記録されたプログラム等を読み出す為のヘッドや、光ディスクを回転させる為のモータ等を備えている。また、本体部２の前面においてＤＶＤドライブ１２に対応する位置には、光ディスクを挿入する為のディスク挿入口２５が形成されている。尚、ＤＶＤドライブ１２によって読み取られるデータとしては、映像データや音楽データ以外にメモリーカード１０に記憶された地図情報を更新する為の地図更新情報等が読み取られる。
【００２９】
また、制御基板１３は、液晶ディスプレイ３、読取装置１１、ＤＶＤドライブ１２等の各種装置とケーブルにより接続され、ＲＡＭやＲＯＭに記憶されたプログラムに基づいて各種処理を実行する。具体的には、自車の現在位置周辺の地図を液晶ディスプレイ３に表示する処理、目的地までの経路を探索する経路探索処理、後述するディスプレイ部４の駆動機構を制御する駆動制御処理、通信や光ディスクを介して取得した地図更新情報に基づいてメモリーカード１０に記憶された地図情報を更新する地図情報更新処理などを実行する。
【００３０】
また、本体部２の裏面側には各種ケーブルを接続する為の接続コネクタ（図示せず）が設けられている。そして、ナビゲーション装置１は、本体部２が車両のフロントパネルに形成された挿入部（図示せず）に対して挿入され、ケーブルを接続コネクタに接続することにより車両に対して載置される。
【００３１】
次に、ディスプレイ部４について以下に説明する。
ディスプレイ部４は、液晶ディスプレイ３と、液晶ディスプレイ３の周辺に形成された各種操作ボタン３１と、液晶ディスプレイ３を支持する枠部材３２を備える。そして、ディスプレイ部４は、本体部２の前面においてカード挿入口１６やディスク挿入口２５を被覆する閉鎖位置と、カード挿入口１６やディスク挿入口２５を露出する開放位置との間で移動可能に支持される。
【００３２】
また、液晶ディスプレイ３は、例えば、読取装置１１で読み取った画像データや画像データ出力回路等から出力された画像データに基づく画像を表示する。例えば、操作案内、操作メニュー、キーの案内、現在地から目的地までの誘導経路、誘導経路に沿った案内情報、交通情報、ニュース、天気予報、時刻、メール、テレビ番組等が表示される。尚、液晶ディスプレイ３の代わりに、有機ＥＬディスプレイ、ＣＲＴディスプレイ、プラズマディスプレイ等を使用することも可能である。
【００３３】
また、操作ボタン３１は、ユーザからの操作を受け付ける為の操作手段である。ナビゲーション装置１のＣＰＵは、操作ボタン３１で受け付けた操作に基づいて、地図の縮尺を変更したり、目的地の入力及び目的地までの経路の探索を行う。また、本実施形態ではディスプレイ部４を閉鎖位置と開放位置の間で移動させる為の操作も受け付ける。
【００３４】
また、枠部材３２は、液晶ディスプレイ３の周囲を覆う保護部材である。また、枠部材３２は、本体部２に対してディスプレイ部４を支持するとともに、ディスプレイ部４を開放位置と閉鎖位置との間で移動させる移動構造を、本体部２との間で構成する。
【００３５】
続いて、ディスプレイ部４が備える移動構造について説明する。図１０はディスプレイ部が閉鎖位置にある場合の本実施形態に係るナビゲーション装置１の側面図、図１１はディスプレイ部が開放位置にある場合の本実施形態に係るナビゲーション装置１の側面図である。
【００３６】
ディスプレイ部４は、図１０に示す閉鎖位置において液晶ディスプレイ３の表示画面が本体部２の前面と平行な位置である正面（即ち、車両の乗員側）に向き、図１１の開放位置において液晶ディスプレイ３の表示画面が本体部２の前面に対して略垂直位置である上方（即ち、車両の天井側）に向くように構成される。
【００３７】
ディスプレイ部４の左右の側面には、図１０の閉鎖状態で上方となる位置にスライドピン４２が設けられ、下方となる位置に連結ピン４３が設けられている。
そして、図１０及び図１１に示すように、本体部２の左右の内側面には、ガイド部４５がそれぞれ設けられ、このガイド部４５にはガイド穴４６が形成されている。ガイド穴４６は、その上部が略垂直方向に延びていて、下部が前側に向かって滑らかにカーブしているので、全体として略Ｊの字状となっている。このガイド穴４６には、図１０及び図１１に示すように、ディスプレイ部４のスライドピン４２がスライド移動可能に設けられており、スライドピン４２がガイド穴４６の上端にあるときには、ディスプレイ部４は図１０に示す閉鎖位置となり、スライドピン４２がガイド穴４６の下端にあるときには、ディスプレイ部４は図１１に示す開放位置となるように構成されている。
【００３８】
また、図１０及び図１１に示すように、ディスプレイ部４の左右には、アーム４７が、駆動機構（図示せず）により前後動可能に設けられている。このアーム４７の先端は、連結ピン４３に回動可能に連結されている。そして、アーム４７が駆動機構によって前方に付勢されたときには、ディスプレイ部４の下部が前方に付勢されてディスプレイ部４は開放位置へと移動し、アーム４７が駆動機構によって後方に引かれたときには、ディスプレイ部４の下部が引き付けられてディスプレイ部４は閉鎖位置へと移動するように構成されている。なお、駆動機構は、ナビゲーション装置１における通常の機能と同様に、操作ボタン３１の他、タッチパネル、リモコン等からの指示入力によって操作することができる。また、駆動機構を設けずに手動でディスプレイ部４を移動可能に構成しても良い。
【００３９】
上記構成を有することにより、操作ボタン３１を操作することによって、ディスプレイ部４を閉鎖位置と開放位置との間で移動させることが可能となる。そして、通常、ユーザがディスプレイ部４の液晶ディスプレイ３に表示された画像を視認する場合には、ディスプレイ部４が閉鎖位置にある。そして、メモリーカード１０をカード挿入口１６に対して挿入する場合又は取り出す場合、或いは、光ディスクをディスク挿入口２５に対して挿入する場合又は取り出す場合には、ディスプレイ部４を開放位置に移動させる。
その場合には、ユーザが操作ボタン３１においてディスプレイ部４を開放位置に移動させる指示を入力する。すると、駆動機構の作動によりアーム４７が前方にせり出して連結ピン４３が前方に付勢され、スライドピン４２がガイド穴４６に沿って下方に移動し、ディスプレイ部４が倒れ始める。そして、図１１に示すように、スライドピン４２がガイド穴４６の下端に達して駆動機構が停止する。
その結果、ディスプレイ部４が開放位置に位置することとなり、カード挿入口１６やディスク挿入口２５が露出するので、いずれの挿入口にも、メモリーカード１０や光ディスクを挿入することができる。
【００４０】
一方、メモリーカード１０や光ディスクの挿入や取り出しが終了し、ディスプレイ部４を再び閉鎖位置へと移動させる場合には、ユーザが操作ボタン３１においてディスプレイ部４を閉鎖位置に移動させる指示を入力する。すると、駆動機構の作動により、アーム４７が後方に引き付けられて連結ピン４３が後方に付勢され、スライドピン４２がガイド穴４６に沿って上方に移動し、ディスプレイ部４が起立し始める。そして、スライドピン４２がガイド穴４６の上端に達して駆動機構が停止するので、ディスプレイ部４は、図１０に示すように直立する。
【００４１】
ここで、本願発明では、ディスプレイ部４が閉鎖状態と開放状態との間で移動する際の移動軌跡は、図９に示す離間位置にある開閉蓋２１の板部材２３と重なるように構成される。従って、開閉蓋２１が離間位置にある状態で、ディスプレイ部４を開放位置から閉鎖位置へと移動させた場合には、図１２及び図１３に示すようにディスプレイ部４と開閉蓋２１が接触し、ディスプレイ部４の移動を妨げる。図１２は開閉蓋２１とディスプレイ部４が接触した状態におけるナビゲーション装置１を示した斜視図、図１３は開閉蓋２１とディスプレイ部４が接触した状態におけるナビゲーション装置１を示した側面図である。
【００４２】
図１２及び図１３に示すように、開閉蓋２１とディスプレイ部４が接触すると、駆動機構が駆動をいったん停止する。その後、駆動機構が再始動し、開放位置へと戻る方向へとアーム４７を付勢する。その結果、図１１に示す開放位置へとディスプレイ部４が移動する。尚、開閉蓋２１とディスプレイ部４が接触した場合に、開放位置へと戻ることなく、開閉蓋２１と接触した状態で停止するように構成しても良い。尚、開閉蓋２１の回転軸２２の軸方向は、ディスプレイ部４の移動方向と略一致するので、ディスプレイ部４の移動方向と動方向である場合（例えば、回転軸２２を水平方向に設け、開閉蓋２１を回転軸２２に対しで上下方向に回動させる場合）と比較して、開閉蓋２１とディスプレイ部４が接触した場合であっても、開閉蓋２１の回転軸２２に加わる負荷が小さくなる利点がある。
【００４３】
そして、本実施形態では前記したようにメモリーカード１０がカード挿入口１６に挿入されているにもかかわらず読取位置まで挿入されていない場合には、開閉蓋２１がカード挿入口１６から離間した離間位置に支持される。従って、メモリーカード１０がカード挿入口１６に挿入されているにもかかわらず読取位置まで挿入されていない状態では、ディスプレイ部４を閉鎖位置へと移動させることができない。その結果、ユーザはメモリーカード１０がカード挿入口１６に挿入されているにもかかわらず読取位置まで挿入されていない場合には、そのことを確実に識別することが可能となる。
【００４４】
以上詳細に説明した通り、本実施形態に係るナビゲーション装置１では、本体部２と、液晶ディスプレイ３を備えるとともに本体部２に対して移動可能に支持されたディスプレイ部４とから基本的に構成され、また、本体部２に形成されたカード挿入口１６の前面には、カード挿入口１６を開閉する開閉蓋２１が設けられている。そして、メモリーカード１０がカード挿入口１６に挿入されているにもかかわらず読取位置まで挿入されていない場合には、開閉蓋２１がカード挿入口１６から離間した離間位置に支持され、ディスプレイ部４の移動を妨げる結果となる。その結果、開閉蓋２１によってディスプレイ部４の移動が妨げられる。従って、メモリーカード１０が読取位置まで挿入されているか否かの識別を容易に行わせることを可能とし、メモリーカード１０に記憶された情報を確実に読取装置で読み取らせることが可能となる。
また、ディスプレイ部４を開放位置から閉鎖位置へと移動させた場合におけるディスプレイ部４の移動軌跡が離間位置にある開閉蓋２１の板部材２３と重なるので、離間位置にある開閉蓋２１とディスプレイ部４を確実に接触させることが可能となり、ディスプレイ部４の移動を停止させることが可能となる。
また、メモリーカード１０がカード挿入口１６に挿入されているにもかかわらず読取位置まで挿入されていない状態では、開閉蓋２１が挿入口側に押圧された場合であっても離間位置に位置するので、メモリーカード１０が読取位置まで挿入されていない状況において、確実に開閉蓋２１とディスプレイ部４を接触させることが可能となり、ディスプレイ部４の移動を停止させることが可能となる。
また、開閉蓋２１の回転軸２２の軸方向は、ディスプレイ部４の移動方向と略一致するので、開閉蓋２１とディスプレイ部４が接触した場合であっても、開閉蓋２１の回転軸２２に加わる負荷が小さくなるので、開閉蓋２１の破損を防止することが可能となる。
また、本実施形態ではナビゲーション装置１に用いる地図情報を記憶したメモリーカード１０を読取装置１１で読み取る場合に適用するので、メモリーカード１０に記憶された地図情報に基づく画像をディスプレイ部４に対して確実に表示することが可能となる。
【００４５】
尚、本発明は前記実施形態に限定されるものではなく、本発明の要旨を逸脱しない範囲内で種々の改良、変形が可能であることは勿論である。
例えば、本実施形態では、メモリーカード１０に記憶された地図情報を表示するディスプレイを備えた端末としてナビゲーション装置１を用いた例を説明しているが、ナビゲーション装置１の代わりに、携帯電話機、ＰＤＡ、パーソナルコンピュータ等を用いても良い。また、地図情報はＨＤＤに記憶する構成としても良い。その場合には、メモリーカード１０はＨＤＤに記憶された地図情報を更新する為の地図更新情報を記憶する構成とする。
【００４６】
また、本実施形態では地図情報を記憶する記憶媒体として、メモリーカードを用いているが、磁気テープ、磁気ドラム、ＣＤ、ＭＤ、ＤＶＤ、光ディスク、ＭＯ、ＩＣカード、光カード等を地図情報記憶媒体として使用することもできる。
【００４７】
また、本実施形態ではカード挿入口１６のみに対して開閉蓋２１を設ける構成としたが、ディスク挿入口２５に対しても同様に開閉蓋２１を設けても良い。
【符号の説明】
【００４８】
１              ナビゲーション装置
２              本体部
３              液晶ディスプレイ
４              ディスプレイ部
１０            メモリーカード
１１            読取装置
１６            カード挿入口
２１            開閉蓋
２２            回転軸
２３            板部材
【図１】
2011165289.tif 000003
【図２】
2011165289.tif 000004
【図３】
2011165289.tif 000005
【図４】
2011165289.tif 000006
【図５】
2011165289.tif 000007
【図６】
2011165289.tif 000008
【図７】
2011165289.tif 000009
【図８】
2011165289.tif 000010
【図９】
2011165289.tif 000011
【図１０】
2011165289.tif 000012
【図１１】
2011165289.tif 000013
【図１２】
2011165289.tif 000014
【図１３】
2011165289.tif 000015